(57)【要約】【課題】簡便にランプの色種の交換が出来、かつ色の加法性が成り立ち、さらに塗布するカラー膜のランプ特性への影響をなくすることができるカラー発光装置を提供する。【解決手段】カラー発光装置は、容器（１）の内部から紫外線を放射する放電ランプ部（２）と、前記容器の外周部に前記放電ランプ部からの紫外線により励起されてカラー発光する複数の発光体（３〜５）とを有し、発光体は、少なくとも１種の発光色を有する蛍光体（１３〜１５）を前記容器との対向面に有し、前記複数の発光体は前記放電ランプ部に対して着脱可能である。これにより、発光体の組み合わせにより、任意の光色を呈し、かつ必要に応じて発光体を交換するだけで、光色を任意に変更可能である。【選択図】図１
2007115468.tif 000002
【特許請求の範囲】
【請求項１】
容器の内部から紫外線を放射する放電ランプ部と、前記容器の外周部に前記放電ランプ部からの紫外線により励起されてカラー発光する複数の発光体とを有し、
前記発光体は、少なくとも１種の発光色を有する蛍光体を前記容器との対向面に有し、
前記複数の発光体は前記放電ランプ部に対して着脱可能であるカラー発光装置。
【請求項２】
前記放電ランプ部は３００〜４００nm付近の紫外線を外側に放射する請求項１記載のカラー発光装置。
【請求項３】
前記放電ランプ部の容器は直線状、曲線状、それらを組み合わせた適宜形状、又は扁平形状を有し、
前記複数の発光体は前記容器の外周部に直列的に挿入され、
前記各々の発光体は光透過材料で形成された筒状体の内周面に蛍光体を有する請求項２記載のカラー発光装置。
【請求項４】
前記容器の外周部に直列的に挿入された発光体と発光体との間に筒状の透光性支持体を有し、
前記透光性支持体は軸方向両端に段付き部を有し、
前記両方の段付き部に前記発光体の端部が嵌合固定された請求項３記載のカラー発光装置。
【請求項５】
容器の内部から紫外線を放射する放電ランプ部と、前記容器に対向配置され前記放電ランプ部からの紫外線により励起されてカラー発光する板状発光体とを有し、
前記板状発光体は、透光性基板に相互に発光色の異なる複数の蛍光体を前記容器との対向面に有し、
前記板状基板は前記放電ランプ部に対して着脱可能であるカラー発光装置。
【請求項６】
前記放電ランプ部は３００〜４００nm付近の紫外線を外側に放射する請求項５記載のカラー発光装置。
【請求項７】
前記放電ランプ部は、前記容器に各々封入された内部電極と、前記容器の一端分から他端部に向けて前記容器の外周部に延在された外部電極とを有し、
前記内部電極と外部電極に印加する電圧を昇降させることにより、上記放電ランプ部の放電長が伸縮可能にされる請求項１又は５記載のカラー発光装置。
【請求項８】
前記放電ランプ部は、前記容器の両端部に各々封入された放電電極と、前記容器一端分から他端部に向けて前記容器の外周部に延在された外部電極とを有し、
前記外部電極の一端部を一方の放電電極に接続し、前記外部電極の他端部と他方の放電電極との間に印加する電圧を昇降させることにより、上記放電ランプ部の放電長が前記外部電極に沿って伸縮可能にされる請求項１又は５記載のカラー発光装置。
【発明の詳細な説明】
【技術分野】
【０００１】
本発明は、店舗・商業施設、アミューズメント機器などで使用されるカラー発光装置、特に様々なカラーの光が容易に得られるカラー発光装置に関する。
【背景技術】
【０００２】
赤色、緑色、青色など各種カラーを発光するランプは看板照明、電飾照明、ウインドー照明等に使われ、カラーの白熱電球や、カラーの蛍光ランプが公知である。特許文献１には電球のガラスバルブ内面に塗布されたカラーフィルターからのガス放出を減らすため、その熱処理条件が示されておいる。特許文献２にはカラー蛍光ランプのガラス管内面に塗布するピンク色発光蛍光体の塗布上部と下部の色差の改良を示してある。
【０００３】
【特許文献１】特開平９−３２０５４５号公報
【特許文献２】特開２００５−１８３１７２号公報
【発明の開示】
【発明が解決しようとする課題】
【０００４】
しかしながら、従来のカラー電球や蛍光ランプでは、カラーフィルターやカラー蛍光体はガラスバルブに焼付けられているために、ランプの発光色を変えることは出来ず、敢えて色の種類を変える場合にはランプそのものを交換することになる不便並びに無駄があった。また、ランプのカラー膜の形成条件がランプの輝度や寿命特性に影響し、ランプ製造管理が複雑となっていた。さらに、赤色、緑色、青色の単色以外の色を発光させる場合、２種ないし３種の蛍光体を混合して所望の発光色を得るが、このとき混合した蛍光体の発光色が加法性からずれることがある。
【０００５】
本発明は、簡便にランプの色種の交換が出来、かつ色の加法性が成り立ち、さらに塗布するカラー膜のランプ特性への影響をなくすることができるカラー発光装置を提供することを目的とする。
【０００６】
本発明の前記並びにその他の目的と新規な特徴は本明細書の記述及び添付図面から明らかになるであろう。
【課題を解決するための手段】
【０００７】
本願において開示される発明のうち代表的なものの概要を簡単に説明すれば下記の通りである。
【０００８】
すなわち、本発明に係わるカラー発光装置は、容器の内部から紫外線を放射する放電ランプ部と、前記容器の外周部に前記放電ランプ部からの紫外線により励起されてカラー発光する複数の発光体とを有し、前記発光体は、少なくとも１種の発光色を有する蛍光体を前記容器との対向面に有し、前記複数の発光体は前記放電ランプ部に対して着脱可能である。これにより、発光体の組み合わせにより、任意の光色を呈し、かつ必要に応じて発光体を交換するだけで、光色を任意に変更可能である。また、カラー発光装置は放電ランプ部の外側の発光体自体がカラー発光するから、発光の明るさ、鮮やかさ、発光色の純度の点では、ランプ部のガラスバルブ内面に直接カラーフィルターを塗布したものに比べても良好な発光特性を得ることができる。ランプ部のガラスバルブ外周面にスリーブ状の樹脂製カラーフィルターを交換可能に設けた構造に比べれば、発光の明るさや鮮やかさ等の点においてはるかに優れた発光特性を実現することができる。
【０００９】
上記放電ランプ部のガラス管内面には３００nm〜４００nm付近の紫外線を放射する蛍光体が塗布され、管内に希ガスと水銀が封入されている。放電ランプ部を点灯すると、放電ランプ部の外側に３００nm〜４００nm付近の紫外線を放射する。この紫外線によって放電ランプ部に近接して置かれた発光体の蛍光体が発光して、赤、緑、青、その他の色、あるいは白色光を放射する。このように放電・紫外放射を行う放電ランプ部と、紫外線を受けて発光する発光体を分離し、この結果光色を任意に選び、また光色を可変にすることが容易にできる。
【００１０】
本発明の一つの具体的な形態として、前記放電ランプ部の容器は直線状、曲線状、それらを組み合わせた適宜形状、又は扁平形状を有し、前記複数の発光体は前記容器の外周部に直列的に挿入され、前記各々の発光体は光透過材料で形成された筒状体の内周面に蛍光体を有する。発光体の選択により、単色のカラー発光装置、種々の色がモザイク配列されたカラー発光装置など任意のカラー発光装置を容易に実現することができる。種々のカラーモザイクの発光の連なりを形づくることができる。
【００１１】
本発明の更に具体的な形態として、前記容器の外周部に直列的に挿入された発光体と発光体との間に筒状の透光性支持体を有し、前記透光性支持体は軸方向両端に段付き部を有し、前記両方の段付き部に前記発光体の端部が嵌合固定される。発光体は透光性支持体で連結され放電ランプ部と一体構造を成すものであり、あたかも一本のランプから種々のカラー発光を生じさせるという斬新な発光機能を容易に実現することができる。
【００１２】
本発明の別の観点によるカラー発光装置は、容器の内部から紫外線を放射する放電ランプ部と、前記容器に対向配置され前記放電ランプ部からの紫外線により励起されてカラー発光する板状発光体とを有し、前記板状発光体は、透光性基板に相互に発光色の異なる複数の蛍光体を前記容器との対向面に有し、前記板状基板は前記放電ランプ部に対して着脱可能である。これにより、必要に応じ、白色乃至カラーの平面光源ないし任意のカラーモザイク発光の平面光源を得ることができる。
【００１３】
本発明の更に別の観点によるカラー発光装置は、前記放電ランプ部の前記容器に封入された内部電極を有し、前記容器の一端分から他端部に向けて前記容器の外周部に延在された外部電極を有する。前記内部電極と外部電極に印加する電圧を昇降させることにより、上記放電ランプ部の放電長が伸縮可能にされる。更に具体的な形態として、前記放電ランプ部は、前記容器の両端部に各々封入された放電電極と、前記容器一端分から他端部に向けて前記容器の外周部に延在された外部電極とを有し、前記外部電極の一端部を一方の放電電極に接続し、前記外部電極の他端部と他方の放電電極との間に印加する電圧を昇降させることにより、上記放電ランプ部の放電長が前記外部電極に沿って伸縮可能にされる。放電ランプ部に印加する電圧を昇降させることにより、上記カラー発光装置の複数の発光体の順次発光を容易に行うことができる。
【発明の効果】
【００１４】
本願において開示される発明のうち代表的なものによって得られる効果を簡単に説明すれば下記の通りである。
【００１５】
すなわち、本発明に係るカラー発光装置によれば、簡便にランプの色種の交換ができ、かつ色の加法性が成り立ち、さらに塗布するカラー膜のランプ特性への影響をなくすることができる。
【発明を実施するための最良の形態】
【００１６】
図１には本発明に係るカラー発光装置が軸断面によって例示される。カラー発光装置は容器１の内部から紫外線を放射する放電ランプ部２と、前記容器１の外周部に前記放電ランプ部２からの紫外線により励起されてカラー発光する複数の発光体３〜５とを有して成る。図２には前記放電ランプ部２が単独で示される。
【００１７】
前記容器１はガラス製で内部には希ガスおよび水銀が封入され、その両端には導入線７、８を介して、放電電極９、１０が封入されている。容器１の内面に配置した蛍光体被膜１１として波長３６５nm近辺に発光する蛍光体を使用する。前記発光体３、４、５は放電ランプ部２の外周部に配置される。発光体３，４，５は円筒ガラス製で、ガラス管１２の内面に蛍光体１３、１４、１５が塗布されている。蛍光体１３は例えば赤色蛍光体、１４は緑色蛍光体、１５は青色蛍光体であり、これら蛍光体１３、１４、１５は内側にある放電ランプ部２からの波長３６５nm近辺の紫外線放射によって励起発光する。発光体３、４、５は透明性の支持体１７、１８で支持連結され、両端部はエンドキャップ１９、２０で固定される。これら支持体１７、１８およびエンドキャップ１９、２０は必要な箇所に段付き部が形成され、発光体３、４、５を支持して連結し、放電ランプ部２とその外側の発光体３、４、５とを一体化させる機能がある。
【００１８】
放電ランプ部２の導入線７、８より電圧を印加すると、放電電極９、１０の間で放電が発生して、水銀からの紫外線によって管内面の蛍光体被膜１１から波長３６５nm近辺の放射が蛍光体１３、１４、１５を励起し、これによって発光体３，４，５から赤色、緑色、青色などの発光を生ずる。この結果、単一の放電ランプ２部で上記３色の発光が得られる。
【００１９】
図３には前記支持体による発光体の支持構造が例示される。透光性支持体１７，１８は円筒スリーブ状を有し、放電ランプ２部に挿入固定される。透光性支持体１７，１８は軸方向両側に段付き部２１を有し、前記両方の段付き部２１に前記発光体の端部が嵌合固定されて支持される。これにより、発光体３，４，５は放電ランプ部２に挿入固定された複数の支持体１７，１８の両端が支えられて放電ランプ部２と一体化されている。透光性支持体１７、１８は例えば透明性のシリコンゴムで形成される。
【００２０】
図４にはカラー発光装置の端部の組み立て構造が例示される。直列された端の発光体の端部にはエンドキャップ１９，２０が段付き部２３を介して嵌入固定される。エンドキャップ１９，２０は例えば透明性シリコンゴム、あるい    は通常の耐熱性のゴム等から成る。エンドキャップ１９，２０の中央部には放電ランプ部２の外径にほぼ等しい貫通孔が形成され、放電ランプ部２にその貫通孔が嵌入され、導入線７，８が外側に露出される。
【００２１】
図５には本発明に係るカラー発光装置の別の例が示される。放電ランプ部３０は細管かつ直線状に形成され、その周りに多数の発光体３１乃至３８が挿入されて構成される。放電ランプ部３０は図１の放電欄ランプ部２に比べて細管である点が相違し、その他はそれと同様に構成される。発光体３１乃至発光体３８は前述と同様にガラス製円筒で、その内側、即ち放電ランプ部３０に面する側のガラス表面に蛍光体被膜（図示せず）がそれぞれ塗布されている。蛍光体被膜は任意のカラーおよび白色を選択できる。透光性支持体及びエンドキャップは図示を省略してあるが、それらも上記同様に用いられていることは言うまでもない。図５の構成により、多種のカラーの光源がモザイク状に並んだ直線状装飾用光源として好適である。
【００２２】
図６には本発明に係るカラー発光装置の更に別の例が示される。放電ランプ部４０は半円形状に形成され、その周りに多数の発光体４１乃至４８が挿入されて構成される。放電ランプ部４０は図１の放電ランプ２に比べて形状が相違し、その他はそれと同様に構成される。発光体４１乃至発光体４８は前述と同様にガラス製円筒で、その内側、即ち放電ランプ部４０に面する側のガラス表面に蛍光体被膜（図示せず）がそれぞれ塗布されている。蛍光体被膜は任意のカラーおよび白色を選択できる。透光性支持体及びエンドキャップは図示を省略してあるが、それらも上記同様に用いられていることは言うまでもない。図６の構成により、各種カラーに発光し、カラーのモザイク状半円形発行装置を実現することができる。
【００２３】
図７には本発明に係るカラー発光装置の更に別の例が示される。同図に示されるカラー発光装置はフレーム５０内に複数個の放電ランプ部５１が併設され、個々の放電ランプ部５１の外周部には図５と同様に多数の発光体５２が挿入され、図示を省略する透光性支持体及びエンドキャップによって一体に固定されている。放電ランプ部５１が臨むフレーム５０の正面開口部は光透過性かつ平板状のカバー５３が取り付けられる。これにより、カラーモザイクの平板光源を実現できる。発光体の色の配置を適当に選ぶことにより、カラーモザイク状に発光する標識灯や指示灯等にも応用することができる。上記発光体の発光色を白色にすれば、白色の平板光源となる。特に図示はしないが、各放電ランプ部５１はリード端子を介して電気的に並列接続されてフレーム５０の外部に導出されている。
【００２４】
図８には本発明に係るカラー発光装置の更に別の例が示される。同図に示されるカラー発光装置はフレーム６０内に複数個の放電ランプ部６１が併設され、個々の放電ランプ部６１の直上には夫々に対応してカバー６３に固定された多数の発光体６２がマトリクス配置されている。個々の発光体６２はガラス板のような透光性の平板を主体に、放電ランプ部６２との対向面には放電ランプ部６２からの波長３６５nm近辺の紫外線放射によって励起発光する蛍光体が塗布されている。各々の発光体６２の塗布される蛍光体の発光色は単色又は複数色で適宜決定されている。図のカバー６３においてハッチングが付された領域は遮光された部分であることを意味する。これにより、マトリクス状のカラーモザイクの平板光源を実現できる。発光体の色の配置を適当に選ぶことにより、カラーモザイク状に発光する標識灯や指示灯等にも応用することができる。上記発光体の発光色を白色にすれば、白色の平板光源となる。
【００２５】
図９には本発明に係るカラー発光装置の更に別の例が示される。同図に示されるカラー発光装置は図５に対して放電長を伸縮可能になっている点が相違される。放電ランプ部７０は両端に電極７１、７２を有し、導入線７３、７４を介して封止されている。また、放電ランプ部７０のガラス管内面には３６５nm近辺の紫外線を放射する蛍光体（図示せず）が塗布され、さらに、放電ランプ部７０のガラス外面には外部電極７５を備えている。外部電極７５は、リード線７６と接続され、かつリード線７７によって導入線７４を介して電極７２と接続されている。外部電極７５は金属、カーボン、透光性導電膜（ＩＴＯ）などの導電膜で形成される。この放電ランプ部７０の外側には前記同様の各種カラーの発光体８１〜８８を配してある。導入線７３とリード線７６との間に可変電圧を印加すると、電極７１と外面電極７５との間で放電が発生するが、この放電は電圧が低いときは、電極７１の近辺のみで放電し、電圧が上昇するにつれて、この放電が長くなり、電極７２まで到達する。この結果、発光体８１から光り始め、その発光が次第に伸びて発光体８８まで発光する。放電が伸びる速度は印加電圧の上昇速度に依存し、早い、遅いは任意に制御できる。即ち、印加電圧の制御により、カラーモザイクが順次発光するカラフルなランプを提供できる。
【００２６】
以下、本発明の具体的実施例を示す。図１に示されるカラー発光装置を製作した。放電ランプ部２は、外径４mm、長さ３００mm、ガラス管内面の蛍光体１１には３６５nm近辺に主発光するSrB４O７:Eu蛍光体を塗布して構成した。管内には約１mgの水銀とネオン-アルゴン（１０%）混合ガスを１１×１０３Pa封入し、端部の電極９、１０には水銀合金ゲッター板を使用し、導入線７、８はデュメット線である。発光体３、４、５は外径６.５mm、肉厚０.６５mm、長さ９７mmのガラス製円管の内面に３６５nm紫外線で励起されて赤色、緑色、青色発光する蛍光体をそれぞれ塗布した。
【００２７】
使用した赤色、緑色、青色蛍光体は、それぞれLa２O２S:Eu、BaMg２Al１６O２７:Eu,Mn、BaMgAl１０O１７:Euであり、 これらをニトロセルローズ・バインダーを用いて２０μm〜３０μmの厚みで塗布した。なお、支持体１７、１８には透明性シリコンゴムを、エンドキャップ１９、２０は耐熱性のシリコンゴムを使用して、発光体３，４，５と放電ランプ部２を一体構成した。このカラー発光装置は、放電ランプ部２を点灯させると、発光体３、４、５がそれぞれ鮮やかな赤色、緑色、青色に発光して、単一のランプで３色に光るランプとなった。ちなみに放電ランプ部２にランプ電流５mAを流したときの輝度は赤色で２８００cd/m２、緑色で９２６０cd/m２、青色で２２６０cd/m２であった。発光の明るさ、鮮やかさ、発光色の純度の点で、良好な発光特性を得ることができた。カラー発光装置は放電ランプ部２の外側の発光３，４，５体自体がカラー発光するからである。
【００２８】
次にカラー発光を伸縮させることが出来るカラー発光装置の実施例を示す。図９の構成において、放電ランプ部７０は、管径４mm、長さ４００mmとし、両端に水銀合金ゲッター板を使用した電極７１、７２を封止し、ガラス管の外面に外部電極７５を形成した。外部電極７５は銀ペーストを帯状に印刷し、焼き付けてある。外部電極７５にはリード線７６が付けてあリ、またリード線７７で導入線７４を介し、電極７２と接続されている。上記実施例と同様にガラス管内面に蛍光体を塗布し、管内には水銀、ネオン・アルゴン混合ガスを封入した。発光体８１〜８８はいずれも外径６.５mm、肉厚０.６５mm、長さ４８mmのガラス管で、内面に８種の発光色が得られよう蛍光体を調合したものを塗布した。その８種は青色、水色、緑色、青緑色、黄色、紫色、橙色、赤色である。これらの発光体を図３、図４に示した支持体およびキャップ（図９には示していない）で放電ランプ部７０と一体構成した。導入線７３とリード線７６の間に点灯回路より、低い電圧から高い電圧に変化する駆動電圧を印加すると、低い電圧印加時には電極７１と外部電極７５の放電は発光体８１近傍に留まり、電圧が高くなると、放電は電極７２に到達し、発光体８８が発光して、発光体全部が発光する。即ち、始めは青色、次に水色と順次発光し、赤色発光まで達する。電圧を下げると、赤色から青色に戻るので、印加電圧の上下によって、色が伸縮変化するランプを得ることができる。
【００２９】
上記何れの実施形態においても、発光体を入れ替えるのみで、色の並べ方を自由に選ぶことができ、また簡便に変えることが出来る。平板状のカラー発光装置にあっては２次元的に各種のカラーパターンを得ることができ、文字や画像の表示装置として応用することも可能である。
【００３０】
以上本発明者によってなされた発明を実施形態に基づいて具体的に説明したが、本発明はそれに限定されるものではなく、その要旨を逸脱しない範囲において種々変更可能であることは言うまでもない。
【００３１】
上記説明では発光体を３個あるいは８個配置したが、本発明では発光体の寸法や数は任意に設定可能であることは言うまでもない。また、上記実施例では、直線状、半円、平板上のカラー発光装置を例示したが、放電ランプ部は楕円状、弧状、角状など適宜曲げ加工した種々の形状を採用可能である。更に扁平状の放電ランプ部を採用することも可能である。また、放電ランプ部のランプ外径を４mm、長さ３００mmおよび４００mmの例を示したが、本発明はこれに限定されるものではなく、用途により適切なランプ外径、ランプ長さのものを使用できる。
【００３２】
また、上記説明では発光体の基板材料にガラス管、ガラス板等を使用したが、本発明はこれに限定されるものではなく、透光性のプラスチックなど、光を透過するその他の材料を使用しても同様の機能を発揮することができる。
【００３３】
また、発光体の形状は円筒形を示したが、他の形状、即ち楕円筒、角筒、もしくはこれらを軸長方向に切断したもの、例えば半円筒、半楕円筒、半角など、要は放電ランプの周りに配置して発光させるに好適な形状の用いてよい。またこれらの寸法は任意である。
【００３４】
また、支持体や、エンドキャップの構造は種々の方法があるが、要は発光体と放電ランプ部とを一体構成とするものであればよいものである。段付き部は段差又は円周溝であってよい。さらに、上記実施例では、発光体を覆うカバー、光の拡散板、レンズアレイ、あるいは反射板などに言及していないが、これらを付加することで、本発明が一層効果的になることは言うまでもない。
【００３５】
また、３００nm〜４００nmの波長域内に主発光する蛍光体として、上記実施例ではSrB４O７:Euを使用したが、この領域に発光する他の蛍光体、例えば（Ba,Sr,Mg）３Si２O７:Pb２+、YPO４:Ce３+などを使用してもよい。
【００３６】
さらに上記実施例の放電が伸縮するランプにおいて、ランプ両端に電極を備え、一方の電極７２を外部電極７５に電気的に接続して、外部電極７５によって電極７１近辺の放電を電極７２まで誘引することを行ったが、電極７２を設置しないで、外部電極７５のみで放電を誘引することも可能であり、また外部電極７５を線状でなく、例えば金属細線を放電ランプ部のガラス管外面に巻き付けるなど、他の方法で放電を誘引することにより、本発明と同様な機能を発揮できることは明らかである。
【図面の簡単な説明】
【００３７】
【図１】本発明に係るカラー発光装置を例示する軸断面図である。
【図２】放電ランプ部を単独で示す軸断面図である。
【図３】支持体による発光体の支持構造を例示する軸断面図である。
【図４】カラー発光装置の端部の組み立て構造を例示する軸断面図である。
【図５】本発明に係るカラー発光装置の別の例として細管かつ直線状のランプを示す平面図である。
【図６】本発明に係るカラー発光装置の更に別の例として半円形状に形成されたランプを示す平面図である。
【図７】本発明に係るカラー発光装置の更に別の例として平面発光可能なランプを例示する平面図である。
【図８】本発明に係るカラー発光装置の更に別の例として平板状発光体を供えてマトリクス状に平面発光可能なランプを例示する平面図である。
【図９】本発明に係るカラー発光装置の更に別の例として放電長を伸縮可能なランプを例示する平面図である。
【符号の説明】
【００３８】
１  容器
２  放電ランプ部
３〜５  発光体
７，８  導入線
９，１０  放電電極
１１  蛍光体被膜
１３，１４，１５  蛍光体
１７，１８  支持体１７、１８
１９，２０  エンドキャップ
２１  段付き部
３０  放電ランプ部
３１〜３８  発光体
４０  放電ランプ部
４１〜４８発光体
５０  フレーム
５１  放電ランプ部
５３  カバー
６０  フレーム
６１  放電ランプ部
６２  発光体
６３  カバー
７０  放電ランプ部
７１，７２  放電電極
７３，７４  導入線
７５  外部電極
７６，７７  リード線
８１〜８８  発光体
【図１】
2007115468.tif 000003
【図２】
2007115468.tif 000004
【図３】
2007115468.tif 000005
【図４】
2007115468.tif 000006
【図５】
2007115468.tif 000007
【図６】
2007115468.tif 000008
【図７】
2007115468.tif 000009
【図８】
2007115468.tif 000010
【図９】
2007115468.tif 000011